(57)【要約】【課題】両開き型のドアを内付けドア構造として、ドアパネルと開口枠との間に雨水や塵埃が入り込むのを解消し、屋外に設置することが可能な収納庫を提供する。【解決手段】開口枠２とドアパネル３との間に、ドアパネル３を右開放時に支持する上下一対の第１揺動腕１８と、ドアパネル３を左開放時に支持する上下一対の第２揺動腕１９とを配置する。第１、第２の揺動腕１８・１９は、一端を開口枠２に、他端をドアパネル３にそれぞれピボットヒンジ２０・２１を介して連結し、互いに左右逆向きに開放揺動できるように支持する。開口枠２の前面には、ドア凹部８を凹み形成してあり、閉じ状態のドアパネル３と各揺動腕１８・１９とをドア凹部８内に収容して、両開き型のドアを内付けドア構造とする。【選択図】図１
2005336795.tif 000002
【特許請求の範囲】
【請求項１】
開口枠２の開口面を塞ぐドアパネル３が、左右いずれにも開放可能に支持してある両開きドアを備えた収納庫であって、
開口枠２の前面には、閉じ状態のドアパネル３を受け入れるドア凹部８が凹み形成されており、
ドアパネル３とドア凹部８との間に、ドアパネル３を右開放時に支持する上下一対の第１揺動腕１８と、ドアパネル３を左開放時に支持する上下一対の第２揺動腕１９とが配置されており、
第１、第２の揺動腕１８・１９は、それぞれ一端がドア凹部８に、他端がドアパネル３にピボットヒンジ２０・２１を介して連結されて、互いに左右逆向きに開放揺動できるように支持されており、
第１、第２の揺動腕１８・１９を択一的に開放揺動してドアパネル３が左右いずれにも開放できるようにしたことを特徴とする両開きドア付き収納庫。
【請求項２】
ドアパネル３の内面には、第１、第２の揺動腕１８・１９と係合するラッチ２３が設けられており、
ラッチ２３は、上下方向へ変位できるラッチ腕２４と、ラッチ腕２４に支持されて、両揺動腕１８・１９の係合穴２６・２７に係脱できるラッチブロック２５とを含み、
ドア閉じ状態において、ラッチブロック２５が両揺動腕１８・１９の係合穴２６・２７と同時に係合して、両揺動腕１８・１９の開放揺動を規制している請求項１記載の両開きドア付き収納庫。
【請求項３】
ドアパネル３に、ドアパネル３の開放動作を規制する錠止構造が設けられており、
錠止構造は、ドアパネル３に固定される鍵本体３０と、鍵本体３０の施錠動作、および解錠動作に連動して上下スライドするロック棒３１とを含み、
施錠状態において、上下に隣接する第１、第２の揺動腕１８・１９をロック棒３０で貫通支持して、両揺動腕１８・１９の開放揺動を規制できる請求項１または２記載の両開きドア付き収納庫。
【請求項４】
ドアパネル３の内面に、第１、第２の揺動腕１８・１９を受け入れる枠受凹部１５が凹み形成されており、
ドアパネル３の内面上下に、ドア凹部８と接触するドアパッキン３５が装着してある請求項３記載の両開きドア付き収納庫。
【発明の詳細な説明】
【技術分野】
【０００１】
本発明は、収納庫や、屋外に設置される物置などに適用される両開きドア、なかでも開口枠で揺動自在に軸支した上下一対ずつの揺動腕にドアパネルが支持され、右開放時と左開放時とで、揺動腕のいずれか一方がドアパネルに同行し、他方が開口枠側に残る形態の両開きドア付き収納庫に関する。
【背景技術】
【０００２】
この種の両開きドアは特許文献１に公知である。そこでは、開口枠とドアパネルとの間に、ドアパネルを右開放時に支持する上下一対の第１揺動腕と、ドアパネルを左開放時に支持する上下一対の第２揺動腕とが配されている。各揺動腕は、開口枠およびドアパネルに対して管蝶番で連結されている。ドアパネルの外面には、右開放用のハンドルと左開放用のハンドルとを設けてあり、開放したい側のハンドルを引っ張り操作することにより、他端側に位置する管蝶番を中心にしてドアパネルを左右いずれにも開放操作できる。
【０００３】
本発明では、ドアパネルを開放不能にロックする錠止構造を設けるが、両開きドアにおいて錠止構造を設けることは特許文献２に公知である。その錠止構造は、ドアパネルに装着した鍵と、鍵の解錠操作に連動して回動変位するロック片と、鍵の解錠操作に連動して横スライドするロック棒とで構成してあり、開口枠に設けた係合部にロック片およびロック棒を掛止することにより、ドアパネルの開放動作を阻止している。
【０００４】
【特許文献１】特開２００４−６８５３７号公報（段落番号００１１〜１２、図２）
【特許文献２】特許第３１９９５４７号公報（段落番号００１９、図４）
【発明の開示】
【発明が解決しようとする課題】
【０００５】
特許文献１の両開きドアは、第１、第２の揺動腕の両端が、開口枠およびドアパネルに対して管蝶番を介して連結されている。そのため、ドア全体が開口枠の外に露出する、いわゆる外付けドア構造になるのを避けられず、例えば屋外に設置される物置に両開きドアを適用するとき、ドアパネルと開口枠との間の隙間から雨水や塵埃が入り込むおそれがある。ドアパネルと開口枠との接合面間に防水パッキンを設けると、雨水や塵埃の進入は阻止できるが、第１、第２の揺動腕と管蝶番とを避けて防水パッキンを設ける必要があり、シール構造が複雑になる。
【０００６】
右開放用のハンドルと左開放用のハンドルとを同時に引っ張り操作する場合に、第１、第２の揺動腕が同時に揺動して、数センチ前後と僅かではあるがドアパネルが開口枠から離れることがある。とくに管蝶番にがたつきがあるとドアパネルが開口枠から離れやすく、このときに両揺動腕や管蝶番に無理な力が加わって、揺動腕や管蝶番が歪むなどの不具合を生じやすい。
【０００７】
特許文献２の錠構造においては、ドア内面に設けたロック片とロック棒を、開口枠に設けた係合部に係止することによりドアパネルの開放動作を阻止する。そのため、開口枠側にロック片とロック棒とを受け入れる係合部を要し、しかもロック片およびロック棒と係合部との位置調整が不可欠となり、その分だけ製作コストが高くつく。施錠状態のドアパネル３を開放操作するとき、開放操作力がロック片、あるいはロック棒に集中するので、ロック片あるいはロック棒を頑丈に構成する必要があり、この点でも製作コストが嵩む不利がある。
【０００８】
本発明の目的は、雨水や塵埃がドアパネルと開口枠との間に入り込むのを解消でき、したがって屋内はもちろんのこと、屋外設置も可能な両開きドア付き収納庫を提供することにある。本発明の目的は、ドアパネルを支持する揺動腕が開口枠から同時に浮き離れるのを確実に規制して、揺動腕やヒンジなどに無理な力が加わるのを確実に阻止することにある。本発明の目的は、隣接する揺動腕を拘束してドアパネルの開放操作を規制する錠止機構を備えており、したがって開口枠側にロック棒用の係合部を形成する必要がなく、さらにロック棒と係合部との位置調整を省略できる分だけ製作コストが少なくて済む両開きドア付き収納庫を提供することにある。
【課題を解決するための手段】
【０００９】
本発明は、開口枠２の開口面を塞ぐドアパネル３が、左右いずれにも開放可能に支持してある両開きドア付き収納庫を対象とする。開口枠２の前面には、閉じ状態のドアパネル３を受け入れるドア凹部８が凹み形成されており、ドアパネル３とドア凹部８との間には、ドアパネル３を右開放時に支持する上下一対の第１揺動腕１８と、ドアパネル３を左開放時に支持する上下一対の第２揺動腕１９とが配置されている。これら第１、第２の揺動腕１８・１９は、それぞれ一端がドア凹部８に、他端がドアパネル３にピボットヒンジ２０・２１を介して連結されて、互いに左右逆向きに開放揺動できるように支持されており、第１、第２の揺動腕１８・１９を択一的に開放揺動してドアパネル３が左右いずれにも開放できるようにしたことを特徴とする。
【００１０】
ドアパネル３の内面には、第１、第２の揺動腕１８・１９と係合するラッチ２３を設ける。そのラッチ２３は、上下方向へ変位できるラッチ腕２４と、ラッチ腕２４に支持されて、両揺動腕１８・１９の係合穴２６・２７に係脱できるラッチブロック２５とを含み、ドア閉じ状態において、ラッチブロック２５が両揺動腕１８・１９の係合穴２６・２７と同時に係合して、両揺動腕１８・１９の開放揺動を規制できるようにする。
【００１１】
ドアパネル３に、ドアパネル３の開放動作を規制する錠止構造を設けることができる。この錠止構造は、ドアパネル３に固定される鍵本体３０と、鍵本体３０の施錠動作、および解錠動作に連動して上下スライドするロック棒３１とを含み、施錠状態において、上下に隣接する第１、第２の揺動腕１８・１９をロック棒３０で貫通して、両揺動腕１８・１９の開放揺動を規制できるようにする。
【００１２】
ドアパネル３の内面には、第１、第２の揺動腕１８・１９を受け入れる枠受凹部１５を凹み形成し、ドアパネル３の内面上下に、ドア凹部８と接触するドアパッキン３５を装着することができる。
【発明の効果】
【００１３】
本発明では、開口枠２とドアパネル３との間に設けた上下一対の第１揺動腕１８、および上下一対の第２揺動腕１９でドアパネル３を支持して、第１、第２の揺動腕１８・１９を択一的に開放揺動することにより、ドアパネル３を左右いずれにも開放できるようにした。そのうえで、第１、第２の揺動腕１８・１９の一端をドア凹部８に、他端をドアパネル３に対して、それぞれピボットヒンジ２０・２１を介して連結することにより、開口枠２の前面に形成したドア凹部８の内部に閉じ状態のドアパネル３を収容できるようにした。このように、内付けドア構造とした両開きドアによれば、ドアパネル３とドア凹部８との接合面が、ドア凹部８の周側壁で覆い隠せるので、ドアパネル３と開口枠２との間から雨水や塵埃が入り込むのを解消できる。したがって、屋内はもちろんのこと、屋外に設置することも可能な両開きドア付き収納庫を提供できる。
【００１４】
ドアパネル３の内面にラッチ２３を設け、ドア閉じ状態においてラッチブロック２５が両揺動腕１８・１９の係合穴２６・２７と同時に係合して、両揺動腕１８・１９の開放揺動を規制できるようにしてあると、ドアパネル３を支持する両揺動腕１８・１９が、ドア凹部８から同時に浮き離れるのを規制して、両揺動腕１８・１９やピボットヒンジ２０・２１などに無理な力が加わるのを阻止できる。例えば、第１揺動腕１８が揺動するとき、ラッチブロック２５が第１揺動腕１８の係合穴２６の開口縁で押し下げられて、第２揺動腕１９の係合穴２７を係合捕捉し続けるので、第２揺動腕１９が第１揺動腕１８と同行移動するのを規制して確実にドア凹部８側に残すことができる。逆に、第２揺動腕１９が揺動するときは、ラッチブロック２５が第１揺動腕１８の係合穴２６を係合捕捉し続けるので、第１揺動腕１８が第２揺動腕１９と同行移動するのを規制してドア凹部８側に残すことができる。
【００１５】
ドアパネル３に固定される鍵本体３０と、上下スライドするロック棒３１などで錠止構造を構成し、鍵本体３０を施錠するとき、上下に隣接する第１、第２の揺動腕１８・１９をロック棒３１で貫通支持して、両揺動腕１８・１９の開放揺動を規制すると、開口枠２側にロック棒３１用の係合部を形成する必要がないし、ロック棒３１と係合部との位置調整の必要もないので、その分だけ錠止構造の製作コストを削減できる。第１、第２の揺動腕１８・１９をロック棒３１で貫通支持して両揺動腕１８・１９の開放揺動を規制すると、施錠状態のままでドアパネル３が開き操作されるとき、両揺動腕１８・１９とロック棒３１とが協同して開放外力を受け止めて、ロック棒３１に開放外力が集中するのを緩和でき、その分だけ錠止構造を堅牢化できる。
【００１６】
ドアパネル３の内面に枠受凹部１５を凹み形成し、第１、第２の揺動腕１８・１９を枠受凹部１５内に収容できるようにすると、閉じ状態におけるドアパネル３の内面周囲壁をドア凹部８の縦壁に接合して、両者３・８の間に隙間が形成されるのを解消できる。しかもドアパネル３の内面上下にドアパッキン３５を設けることによって、ドア接合面をさらに確実にシールして、収納庫の水密性を向上できる。
【発明を実施するための最良の形態】
【００１７】
（実施例）  図１ないし図９は、本発明を屋外に設置される組立式の物置（収納庫）に適用した実施例を示す。図２、図３において物置は、前面が開口する物置本体１と、その開口枠２の開口面を開閉するドアパネル３などで構成する。物置本体の内部には、必要に応じて収納対象を載置する棚を有する。物置本体１は、左右一対の側面パネル５・５と、屋根パネル６と、床パネル７と、後面パネルを互いに締結固定して構成されている。後面パネルを除く各パネル５〜７によって開口枠２を構成し、その前面に閉じ状態のドアパネル３を受け入れるためのドア凹部８が凹み形成されている。
【００１８】
ドアパネル３は、パネル体１１と、その内面上下に固定した補強枠１２と、パネル体１１の外面左右に固定した一対の把手１３（図２参照）などで構成する。補強枠１２には、後述する第１、第２の揺動腕１８・１９を受け入れる枠受凹部１５が凹み形成されている。
【００１９】
ドアパネル３を左右の双方向へ開放可能に支持するために、ドアパネル３とドア凹部８との間には、上下一対の第１揺動腕１８と、上下一対の第２揺動腕１９とを配置する。図１および図３においてドアパネル３側の第１揺動腕１８は、ドアパネル３を閉じ位置から右へ開放するために設けられている。ドア凹部８側の第２揺動腕１９は、図３の想像線で示すように、ドアパネル３を閉じ位置から左へ開放するために設けられている。ドアパネル３を閉じた状態では、両揺動腕１８・１９は上下に設けた各枠受凹部１５に収まる（図６参照）。
【００２０】
図４において両揺動腕１８・１９は、それぞれ断面コ字状の枠体からなり、各々の一端がドア凹部８に、他端がドアパネル３に、それぞれピボットヒンジ２０・２１を介して連結されて、互いに左右逆向きに開放揺動できるように支持する。上下に隣接して配置した両ピボットヒンジ２０・２１のヒンジ中心は、同じ中心線上に位置させる（図５参照）。
【００２１】
図４において前者ピボットヒンジ２０は、各揺動腕１８・１９の上面あるいは下面に固定される、一端が丸められた帯板状の第１ヒンジ板２０ａと、板面の後ろ側に取付壁２０ｄが一体に折り曲げ形成された第２ヒンジ板２０ｂと、両ヒンジ板２０ａ・２０ｂを相対揺動可能に連結するヒンジピン２０ｃとを含む。第２ヒンジ板２０ｂの取付壁２０ｄは、ドア凹部８の縦壁に締結固定される。後者ピボットヒンジ２１は、先の第１ヒンジ板２０ａと同じ部品からなる、一対のヒンジ板２１ａ・２１ｂと、両ヒンジ板２１ａ・２１ｂを相対揺動可能に連結するヒンジピン２１ｃとを含む。各ヒンジ板２０ａ・２０ｂ、２１ａ・２１ｂ、およびヒンジピン２０ｃ、２１ｃはそれぞれステンレス材で形成した。
【００２２】
図４および図５において第１揺動腕１８の右端下面と、ドア凹部８の縦壁との間に前者ピボットヒンジ２０を配置し、第１揺動腕１８はヒンジピン２０ｃまわりに右開放揺動できるようにする。また、第１揺動腕１８の左端上面と、ドアパネル３の枠受凹部１５の上壁との間に後者ピボットヒンジ２１を配置し、第１揺動腕１８とドアパネル３とを相対回動できるようにする。
【００２３】
同様に、第２揺動腕１９の左端上面と、ドア凹部８の縦壁との間に前者ピボットヒンジ２０を配置し、第２揺動腕１９をヒンジピン２０ｃまわりに左開放揺動できるようにする。また、第２揺動腕１９の右端下面と、ドアパネル３の枠受凹部１５の下壁との間に後者ピボットヒンジ２１を配置し、第２揺動腕１９とドアパネル３とを相対回動できるようにする。
【００２４】
右開放用のハンドル１３と左開放用のハンドル１３とを同時に引っ張り操作した場合に、第１、第２の揺動腕１８・１９が同時に揺動して、両揺動腕１８・１９やピボットヒンジ２０・２１に無理な力を加えるおそれがある。こうした、両揺動腕１８・１９の同時開放を確実に阻止するために、ドアパネル３の内面には第１、第２の両揺動腕１８・１９と係合するラッチ２３を設けてある。
【００２５】
図８および図５において、ラッチ２３はドア凹部８の縦壁に締結固定される逆Ｌ字状のラッチ腕２４と、ラッチ腕２４の突端に固定した断面菱形のラッチブロック２５とを含む。ラッチブロック２５を支持するラッチ腕２４は上下方向へ弾性変形でき、この変形を利用して、ラッチブロック２５が両揺動腕１８・１９の対向面に設けた係合穴２６・２７と係脱できる。第１、第２の揺動腕１８・１９が同時に揺動しようとした場合、係合穴２６・２７がラッチブロック２５の上半部分と下半部分との傾斜面に同時に当たる。そのため、ラッチブロック２５は上下いずれへも変位できず、その結果として両揺動腕１８・１９を位置保持できる。
【００２６】
ドアパネル３の開放操作を規制するために、ドアパネル３には錠止構造を設けてある。図３において錠止構造は、パネル体１１に固定したシリンダー錠を含む鍵本体３０と、鍵本体３０の施錠動作および解錠動作に連動して上下スライドする上下一対のロック棒３１とからなる。上下一対ずつの両揺動腕１８・１９の中途部には、図１および図４に示すごとくロック棒３１を挿通するためのロック穴３２・３３が、それぞれ上下貫通状に形成されている。
【００２７】
鍵本体３０には、施錠解錠時の回動動作を往復動作に変換するピニオンとラックが組み込まれており、ラックの上下動作に連動してロック棒３１が上下移動する。施錠状態においては、図５に示すように各ロック穴３２・３３にロック棒３１が係合して、上下に隣接する両揺動腕１８・１９を上下に貫通するので、両揺動腕１８・１９はロック棒３１を介して互いに拘束しあうことになり、したがって、ドアパネル３を開放操作することはできない。
【００２８】
以上のように構成した両開きドアによれば、閉じ状態におけるドアパネル３をドア凹部８内に収容して内付けドア構造にできるので、ドアパネル３と開口枠２との間の接合隙間をドア凹部８の周囲壁で覆い隠して、両者２・３の接合隙間に雨水や塵埃が入り込むのを確実に防止できる。この実施例においては、図６に示すように、ドアパネル３の内面に開口枠２と接触するドアパッキン３５を装着して、さらに確実に防水機能を発揮できるようにした。第１、第２の揺動腕１８・１９は、ピボットヒンジ２０・２１で揺動可能に支持したので、他のヒンジを用いる場合に比べて両開き構造をコンパクトにまとめて簡素化できるし、両開き構造が占めるスペースも小さくできる。
【００２９】
次に、ドアパネル３を開閉するときの各揺動腕１８・１９の動作、およびラッチ２３の機能などを説明する。図８に示すように、ドア閉じ状態においては、ラッチブロック２５は両揺動腕１８・１９の係合穴２６・２７と同時に係合して、両揺動腕１８・１９の開放揺動を規制する。この状態から、ドアパネル３に向かって左側の把手１３を引っ張り操作すると、第１揺動腕１８がドアパネル３に同行してその右端に設けたピボットヒンジ２０まわりに揺動する。
【００３０】
このとき、図９に示すように係合穴２６がラッチブロック２５の上半の傾斜面に接して、ラッチブロック２５を第２揺動腕１９の係合穴２７側へ押し下げながら乗り越える。したがって、第１揺動腕１８のみがドアパネル３に同行し、第２揺動腕１９は開口枠２側に保持される。第２揺動腕１９とドアパネル３とは、別のピボットヒンジ２１を介して連結してあるので、ドアパネル３の揺動動作はピボットヒンジ２１によって吸収され、したがって第２揺動腕１９が同行移動することはない。
【００３１】
ドアパネル３を閉じ操作すると、第１揺動腕１８はラッチ２３を乗り越えながらドア凹部８内へ入り込み、その係合穴２６にラッチブロック２５を進入係合する。ドアパネル３を左開放するときは、ドアパネル３に向かって右側の把手１３を引っ張り操作して、第１揺動腕１８をその左端に設けたピボットヒンジ２０まわりに揺動させる。
【００３２】
このとき、係合穴２７はラッチブロック２５の下半部分に接して、ラッチブロック２５を第１揺動腕１８の係合穴２６側へ押し上げながら乗り越え、第２揺動腕１９のみがドアパネル３に同行し、第１揺動腕１８は開口枠２側に保持される。ドアパネル３の揺動動作は、第１揺動腕１８の左端に設けたピボットヒンジ２１によって吸収され、したがって第１揺動腕１８がドアパネル３と同行移動することはない。
【００３３】
上記の実施例では、物置本体１を構成する各パネル５〜７を利用して開口枠２を構成したが、各パネル５〜７とは別体の枠材を用いて開口枠２を構成してもよい。その場合には、ドア凹部８を各パネル５〜７とは別体の枠材側に形成することができる。各揺動腕１８・１９は、中空枠にする必要はなく、棒材や管材で形成してもよい。
【００３４】
本発明は、物置以外の収納庫や貯蔵庫などにも適用できる。必要があれば開口枠２の開口面は、複数個のドアパネル３で開閉できるようにしてもよい。
【図面の簡単な説明】
【００３５】
【図１】両開きドアを右へ開放した状態の斜視図である。
【図２】収納庫の斜視図である。
【図３】両開きドアを右へ開放した状態の収納庫の正面図である。
【図４】ドア支持構造の分解斜視図である。
【図５】上側のドア支持構造の縦断正面図である。
【図６】図５におけるＡ−Ａ線断面図である。
【図７】図５におけるＢ−Ｂ線断面図である。
【図８】図５におけるＣ−Ｃ線断面図である。
【図９】ラッチの係脱動作を示す図８と同等位置の断面図である。
【符号の説明】
【００３６】
２  開口枠
３  ドアパネル
８  ドア凹部
１５  枠受凹部
１８  第１揺動腕
１９  第２揺動腕
２０・２１  ピボットヒンジ
２３  ラッチ
２４  ラッチ腕
２５  ラッチブロック
２６・２７  係合穴
３０  鍵本体
３１  ロック棒
３５  ドアパッキン
【図１】
2005336795.tif 000003
【図２】
2005336795.tif 000004
【図３】
2005336795.tif 000005
【図４】
2005336795.tif 000006
【図５】
2005336795.tif 000007
【図６】
2005336795.tif 000008
【図７】
2005336795.tif 000009
【図８】
2005336795.tif 000010
【図９】
2005336795.tif 000011